(57)【要約】【課題】小型化を図れる端子接続機構およびスイッチを提供すること。【解決手段】端子接続機構が、板ばね（４０）と、板ばね（４０）の固定部（４１）と弾性部（４２）とを収容する収容部（５１）を有する絶縁性のハウジング（５０）と、収容部（５１）内に配置された端子電極部（６０）とを備える。収容部（５１）が、電線の導体部を収容部（５１）内に挿入可能な第１開口（５２）と、第１開口（５２）から電線の挿入方向に沿って配置されて電線の導体部を案内する電線挿入ガイド壁部（５３）と、電線挿入ガイド壁部（５３）に対向しかつ電線挿入ガイド壁部（５３）に対して電線の挿入方向に向かうに従い接近するように傾斜して配置され、かつ、板ばね（４０）の固定部（４１）が固定される傾斜壁部（５４）と、治具を収容部（５１）内に挿入して弾性部（４２）と電線の導体部との接触を解除可能な第２開口（５５）と、を有する。【選択図】図５
2018006090.tif 000002
【特許請求の範囲】
【請求項１】
一端の固定部と、前記固定部に対して弾性変形可能な他端の弾性部と、前記固定部と前記弾性部とを連結する湾曲部とを有する板ばねと、
治具が挿入可能な治具挿入領域と、電線の導体部が挿入可能な電線挿入領域とを有するとともに、前記板ばねの前記固定部と前記弾性部とを収容し、かつ、前記弾性部が、前記固定部に向かって、前記電線挿入領域を通過して前記治具挿入領域まで弾性変形可能な弾性変形領域を有する収容部を有する絶縁性のハウジングと、
前記収容部内に配置されかつ前記電線挿入領域に挿入された前記電線の前記導体部が接触可能な端子電極部とを備え、
前記収容部は、
前記収容部の前記電線が挿入される側に配置されて前記電線の前記導体部を前記収容部内の前記電線挿入領域に挿入可能な第１開口と、
前記第１開口から前記電線の挿入方向に沿って前記端子電極部を支持するように配置され前記第１開口から挿入された前記電線の前記導体部を案内して、前記板ばねの前記弾性部と前記端子電極部との間で前記導体部を挟持可能な電線挿入ガイド壁部と、
前記電線挿入ガイド壁部に対向しかつ前記電線挿入ガイド壁部に対して前記電線の挿入方向に向かうに従い接近するように傾斜して配置され、かつ、前記板ばねの前記固定部が固定される傾斜壁部と、
前記収容部の前記電線が挿入される側に前記第１開口に隣接して配置され、かつ、前記治具を前記収容部内に挿入して前記板ばねの前記弾性部に接触して前記弾性部と前記電線の前記導体部との接触を解除可能な第２開口とを有する、端子接続機構。
【請求項２】
前記第２開口から前記治具挿入領域に前記治具を挿入するときに、前記板ばねの前記固定部の先端と前記板ばねの前記弾性部の先端とが接触して、前記弾性部の弾性変形を規制可能とする、請求項１に記載の端子接続機構。
【請求項３】
前記ハウジングが、前記第１開口と前記第２開口との間で、かつ、前記第２開口と前記固定部の先端との間の前記第２開口に近い側に配置された治具支持部を有し、
前記第２開口から前記治具挿入領域に前記治具を挿入するとき、前記第２開口の傾斜壁部側の縁部と前記固定部の前記先端との２点と、前記治具支持部との間で前記治具を挟持可能とする、請求項２に記載の端子接続機構。
【請求項４】
固定接点部と、
前記端子電極部が前記固定接点部に電気的に接続された、請求項１から３のいずれか１つに記載の端子接続機構とを備えるスイッチ。
【請求項５】
前記固定接点部に接触可能かつ開離可能な可動接点部と、
前記固定接点部から前記可動接点部が離れた復帰位置と、前記固定接点部と前記可動接点部とが接触した動作位置との間を往復移動可能なプランジャ（２０）とをさらに備える、請求項４に記載のスイッチ。
【発明の詳細な説明】
【技術分野】
【０００１】
本発明は、端子接続機構、および、これを備えたスイッチに関する。
【背景技術】
【０００２】
固定接点部から可動接点部が離れた復帰位置と、固定接点部と可動接点部とが接触した動作位置との間を往復移動可能なプランジャを備えるスイッチとしては、例えば、図１３に示す一般に市販されているスイッチ３０１がある。このスイッチ３０１は、電線の導体部を挿入可能な第１開口３５２と治具を挿入可能な第２開口３５５とを有するハウジング３５０と、ハウジング３５０内に収容された板ばね３４０および電線の導体部が接触可能な端子電極部３６０と、を有する端子接続機構３３０を備えている。この端子接続機構３３０では、第１開口３５２を介してハウジング３５０内に挿入された電線の導体部が、板ばね３４０と端子電極部３６０との間で挟持され、第２開口３５５を介してハウジング３５０内に挿入された治具により、板ばね３４０と電線の導体部との接触が解除されるようになっている。
【発明の概要】
【発明が解決しようとする課題】
【０００３】
しかし、前記スイッチ３０１では、板ばね３４０が、単なるＵ字状ではなく、複数の湾曲部を有する複雑な形状を有しているため、ハウジング３５０のサイズが大きくなってしまう。このため、端子接続機構３３０、ひいては、この端子接続機構３３０を備えるスイッチ３０１の小型化を図れない場合がある。
【０００４】
そこで、本発明は、小型化を図れる端子接続機構およびスイッチを提供することを課題とする。
【課題を解決するための手段】
【０００５】
本発明の端子接続機構は、
一端の固定部と、前記固定部に対して弾性変形可能な他端の弾性部と、前記固定部と前記弾性部とを連結する湾曲部とを有する板ばねと、
治具が挿入可能な治具挿入領域と、電線の導体部が挿入可能な電線挿入領域とを有するとともに、前記板ばねの前記固定部と前記弾性部とを収容し、かつ、前記弾性部が、前記固定部に向かって、前記電線挿入領域を通過して前記治具挿入領域まで弾性変形可能な弾性変形領域を有する収容部を有する絶縁性のハウジングと、
前記収容部内に配置されかつ前記電線挿入領域に挿入された前記電線の前記導体部が接触可能な端子電極部とを備え、
前記収容部は、
前記収容部の前記電線が挿入される側に配置されて前記電線の前記導体部を前記収容部内の前記電線挿入領域に挿入可能な第１開口と、
前記第１開口から前記電線の挿入方向に沿って前記端子電極部を支持するように配置され前記第１開口から挿入された前記電線の前記導体部を案内して、前記板ばねの前記弾性部と前記端子電極部との間で前記導体部を挟持可能な電線挿入ガイド壁部と、
前記電線挿入ガイド壁部に対向しかつ前記電線挿入ガイド壁部に対して前記電線の挿入方向に向かうに従い接近するように傾斜して配置され、かつ、前記板ばねの前記固定部が固定される傾斜壁部と、
前記収容部の前記電線が挿入される側に前記第１開口に隣接して配置され、かつ、前記治具を前記収容部内に挿入して前記板ばねの前記弾性部に接触して前記弾性部と前記電線の前記導体部との接触を解除可能な第２開口とを有する。
【０００６】
また、本発明のスイッチは、
固定接点部と、
前記固定接点部に接触可能かつ開離可能な可動接点部と、
前記端子電極部が前記固定接点部又は前記可動接点部に電気的に接続された、前記端子接続機構とを備える。
【発明の効果】
【０００７】
本発明の端子接続機構によれば、収容部が、電線の挿入方向に沿って配置され電線の導体部を案内する電線挿入ガイド壁部と、電線挿入ガイド壁部に対向し、かつ、電線挿入ガイド壁部と平行ではなく、収容部の空間が削減されるように傾斜されかつ板ばねの固定部が固定される傾斜壁部とを有している。このため、ハウジングのサイズを小さくすることができ、小型化を図ることができる。
【０００８】
本発明のスイッチによれば、前記端子接続機構により、小型化を図ることができる。
【図面の簡単な説明】
【０００９】
【図１】本発明の一実施形態の端子接続機構を備えたスイッチの斜視図。
【図２】図１のスイッチの図１とは異なる方向の斜視図。
【図３】図１のスイッチの復帰状態を示すカバーを取り除いた正面図。
【図４】図１のスイッチの動作状態を示すカバーを取り除いた正面図。
【図５】図１のスイッチの端子接続機構を示す正面拡大図。
【図６】図１のスイッチの端子接続機構に電線および治具が挿入された状態を示す正面図。
【図７】図１のスイッチの端子接続機構の電線が挿入された状態を示す断面図。
【図８】図１のスイッチの端子接続機構の電線および治具が挿入された状態を示す断面図。
【図９】図１のスイッチの他の例を説明するための斜視図。
【図１０】図９のスイッチの復帰状態を示すカバーを取り除いた正面図。
【図１１】図１のスイッチの別の例であるＬＥＤランプ点灯ユニットの斜視図。
【図１２】図１１のＬＥＤランプ点灯ユニットのカバーを取り除いた状態の正面図。
【図１３】一般に市販されているスイッチを説明するための図。
【発明を実施するための形態】
【００１０】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１１】
本発明の一実施形態の端子接続機構を備えたスイッチ１は、図１および図２に示すように、絶縁性の本体部１０と、絶縁性のプランジャ２０とを備えている。このプランジャ２０は、その一部が本体部１０の外部に突出した状態で、本体部１０の内部に収容されている。
【００１２】
なお、図１の本体部１０の幅方向をＸ方向とし、Ｘ方向に直交する本体部の厚さ方向をＹ方向とし、ＸおよびＹ方向に直交する本体部の高さ方向をＺ方向とする。
【００１３】
本体部１０は、図１に示すように、Ｙ方向の一方の面に開口を有する筺体１１と、この開口を覆う蓋体１２とで構成されている。筺体１１のＺ方向の上側の面には、プランジャ２０の一部を突出させるための溝部１５が設けられている。
【００１４】
なお、筺体１１は、図１および図２に示すように、Ｙ方向から見た平面視において、Ｚ方向に延びるＸ方向の中心線に対して対称に設けられ、かつ、Ｘ方向から見た平面視において、Ｚ方向に延びるＹ方向の中心線に対して対称に設けられている。
【００１５】
図３および図４に示すように、筺体１１の内部には、Ｘ方向の中央に配置され、Ｚ方向に沿って延びる通路部１６が設けられている。この通路部１６は、筺体１１のＺ方向の上面の溝部１５を介して筺体１１の外部に繋がっており、プランジャ２０を収容可能になっている。
【００１６】
また、筺体１１の内部には、通路部１６の延在方向（Ｚ方向）上下２段に分かれて配置された４個の固定接点部１７と、これらの固定接点部１７の各々に電気的に接続されている４個の端子接続機構３０とが設けられている。これらの４個の端子接続機構３０もまた、通路部１６の延在方向上下２段に分かれて配置されている。
【００１７】
さらに、筺体１１の内部には、上段の端子接続機構３０のＺ方向上側に配置された２個のトーションばね１８が設けられている。各トーションばね１８は、筺体１１のＺ方向上部の両端に配置された円柱形状の突起部１４に嵌合されているコイル部１８１と、このコイル部１８１から筺体１１のＺ方向の上側の面に沿って溝部１５に向かって延びるアーム部１８２とで構成されている。各トーションばね１８は、図３に示す状態において、Ｚ方向の上側に向かって弾性力が働くように配置されている。
【００１８】
蓋体１２は、筺体１１の開口を塞ぐことが可能な板形状を有している。
【００１９】
プランジャ２０は、図３および図４に示すように、直線状に延びる棒体で、長手方向（Ｚ方向）の一方の端面２４が湾曲している。このプランジャ２０には、長手方向（Ｚ方向）に延びる両側面から短手方向（Ｘ方向）に突出する４つの接点用腕部２１が設けられている。
【００２０】
４個の接点用腕部２１の各々は、先端に設けられた可動接点部２２を有し、プランジャ２０の長手方向に対して対称かつ長手方向上下２段に分かれて配置されている。上段の接点用腕部２１の各々には、トーションばね１８のアーム部１８２と接触して弾性力を受ける弾性受部２３が設けられている。また、４個の接点用腕部２１は、上段の接点用腕部２１と下段の接点用腕部２１との間の間隔が、筺体１１の上段の固定接点部１７と下段の固定接点部１７との間の間隔と略同じになるように配置されている。
【００２１】
プランジャ２０に外力が加えられていない復帰状態では、図３に示すように、プランジャ２０は、上段の接点用腕部２１の弾性受部２３を介して受ける２個のトーションばね１８の弾性力により筺体１１のＺ方向上側の面に押し付けられ、プランジャ２０の端面２４が溝部１５から筺体１１の外部に突出している。また、復帰状態では、可動接点部２２の各々が、筺体１１の固定接点部１７の１つに対向し、かつ、この対向する固定接点部１７から離れている。
【００２２】
プランジャ２０の端面２４にＺ方向下側の力を加えて、プランジャ２０が筺体１１の内部に押し込まれた動作位置では、図４に示すように、プランジャ２０の端面２４が溝部１５から筺体１１の内部に押し込まれ、プランジャ２０の各可動接点部２２が筺体１１の対向する固定接点部１７に接触している。このとき、プランジャ２０の端面２４に加えられている力を解放すると、プランジャ２０は、トーションばね１８の弾性力により、Ｚ方向の上側に付勢されて、図３に示す復帰位置に戻る。
【００２３】
すなわち、プランジャ２０は、図３に示す対向する固定接点部１７から各可動接点部２２が離れた復帰位置と、図４に示す可動接点部２２の各々が対向する固定接点部１７に接触している動作位置との間を往復移動可能に設けられている。
【００２４】
端子接続機構３０は、図５に示すように、板ばね４０と、ハウジング５０と、端子電極部６０とを備えている。なお、図５には、４個の端子接続機構３０のうちのＸ方向の左側の上段に位置する端子接続機構３０を示している。
【００２５】
板ばね４０は、図５に示すように、一端の固定部４１と、固定部４１に対して弾性変形可能な他端の弾性部４２と、固定部４１と弾性部４２とを連結する湾曲部４３とを有している。
【００２６】
固定部４１は、後述するハウジング５０の傾斜壁部５４に沿って直線状に延びている。弾性部４２は、その先端が後述するハウジング５０の電線挿入ガイド壁部５３まで延びており、後述する収容部５１の第１開口５２および第２開口５５を塞ぐように配置されている。なお、弾性部４２および湾曲部４３には、Ｙ方向の中央部にＸ方向に延びるスリット（図示せず）が形成されている。
【００２７】
ハウジング５０は、筺体１１の一部であり、絶縁性の本体部１０の一部を構成している。このハウジング５０の内部には、図５に示すように、Ｙ方向から見た平面視において、大略台形の収容部５１が設けられている。
【００２８】
収容部５１は、図５に示すように、電線挿入領域１００と、治具挿入領域１１０と、弾性変形領域１２０とを有している。電線挿入領域１００は、電線８０の導体部８１（図７参照）が挿入される可能性のある領域であり、治具挿入領域１１０は、治具９０（図７参照）が挿入される可能性がある領域である。弾性変形領域１２０は、板ばね４０の弾性部４２が、固定部４１に向かって、電線挿入領域１００を通過して（横切って）治具挿入領域１１０まで弾性変形する可能性がある領域である。
【００２９】
また、収容部５１は、第１開口５２と、電線挿入ガイド壁部５３と、傾斜壁部５４と、第２開口５５とを有している。
【００３０】
第１開口５２は、収容部５１の電線挿入側（Ｚ方向の下側）の端縁に、配置されている。この第１開口５２は、電線の導体部を収容部５１内の電線挿入領域１００に挿入可能になっている。
【００３１】
電線挿入ガイド壁部５３は、電線挿入領域１００内で、第１開口５２から電線の導体部の挿入方向Ａに沿って端子電極部６０を支持するように配置されている。この電線挿入ガイド壁部５３は、第１開口５２から挿入された電線の導体部を案内し、板ばね４０の弾性部４２と端子電極部６０との間で電線の導体部を挟持して、電線の導体部と端子電極部６０とを電気的に接続可能になっている。
【００３２】
傾斜壁部５４は、電線挿入ガイド壁部５３に対向し、かつ、電線挿入ガイド壁部５３に対して電線の挿入方向Ａに向かうに従い接近するように傾斜して配置されている。この傾斜壁部５４には、板ばね４０の固定部４１が端子電極部６０を介して固定されている。
【００３３】
第２開口５５は、収容部５１の電線が挿入される側（Ｚ方向の下側）の端縁に、Ｘ方向に沿って第１開口５２に隣接して配置されている。この第２開口５５は、治具を収容部５１内の治具挿入領域１１０に挿入可能になっている。この第２開口５５から治具を挿入方向Ｂに沿って収容部５１内の治具挿入領域１１０に挿入することで、治具が治具挿入領域１１０を横切っている板ばね４０の弾性部４２に接触してばね力に抗して撓ませ、弾性部４２と電線の導体部との接触を解除可能になっている。
【００３４】
図５に示すように、電線挿入ガイド壁部５３と、傾斜壁部５４とが、収容部５１の大略台形の一対の脚を構成し、電線挿入ガイド壁部５３のＺ方向上端および傾斜壁部５４のＺ方向上端を繋ぐ底壁部５７と、この底壁部５７に対向する電線が挿入される側の壁部５８とが、収容部５１の大略台形の一対の底辺を構成している。すなわち、収容部５１は、一対の底辺のうちのＺ方向上側の短辺側に、電線の導体部と治具の先端と板ばね４０の固定部４１および弾性部４２の先端とが密集し、Ｚ方向下側の長辺側に、電線および治具の中間部と板ばね４０の湾曲部４３とが密集するように構成されている。これにより、収容部５１全体として無駄なスペースをなくして、省スペース化を図っている。
【００３５】
端子電極部６０は、電線挿入ガイド壁部５３に沿って延びる板状の電線接触部６１と、傾斜壁部５４に沿って延びる板状の板ばね固定部６２と、筺体１１の底面（開口を有する面に対向するＹ方向の他方の面）に沿って延びると共に電線接触部６１、板ばね固定部６２、および、固定接点部１７に接続されている導通径路部６３とで構成されている。
【００３６】
また、ハウジング５０は、収容部５１の第１開口５２と第２開口５５の間で、かつ、第２開口５５と固定部４１の先端４１１との間の第２開口５５に近い側に配置された治具支持部７０を有している。この治具支持部７０は、第１開口５２の傾斜壁部５４側の一部を構成し、かつ、第２開口５５の電線挿入ガイド壁部５３側の縁部の一部を構成している。
【００３７】
次に、第１開口５２に電線８０の導体部８１を挿入し、第２開口５５に治具９０を挿入したときの端子接続機構３０の動作について、図６〜図８を用いて説明する。
【００３８】
スイッチ１の端子接続機構３０の第１開口５２から電線８０の導体部８１を収容部５１内の電線挿入領域１００に挿入していくと、収容部５１内の電線挿入領域１００に挿入された導体部８１が、電線挿入ガイド壁部５３に案内されると共に板ばね４０の弾性部４２をそのばね力に抗して撓ませる。そして、絶縁カラー８２によって第１開口５２が塞がれる図７に示す状態で停止する。このとき、導体部８１は、板ばね４０の弾性部４２のばね力により、この弾性部４２と端子電極部６０の電線接触部６１とで挟持されて、導体部８１と電線接触部６１とが電気的に接続される。
【００３９】
また、第２開口５５から治具９０を挿入していくと、図８に示すように、治具９０の先端が、板ばね４０の弾性部４２に接触して、板ばね４０の弾性部４２をそのばね力に抗してさらに撓ませる。これにより、板ばね４０の弾性部４２と電線８０の導体部８１との接触が解除され、収容部５１内の電線８０の導体部８１を収容部５１外に引き抜くことができるようになる。このとき、弾性部４２の先端４２１は、治具９０により、固定部４１の先端４１１に接触するまで撓まされている。また、治具９０は、第２開口５５の傾斜壁部５４側の縁部５５１と板ばね４０の弾性部４２の先端４２１を介して接触する固定部４１の先端４１１との２点と、治具支持部７０との間で挟持されている。
【００４０】
このように、本実施形態の端子接続機構３０によれば、収容部５１が、電線挿入方向に沿って配置され電線８０の導体部８１を案内する電線挿入ガイド壁部５３と、電線挿入ガイド壁部５３に対向し、かつ、板ばね４０の固定部４１が固定される傾斜壁部５４とを有している。傾斜壁部５４は、電線挿入ガイド壁部５３と平行ではなく、例えば、板ばね４０の固定部４１が電線挿入ガイド壁部５３と平行に延びる壁部に固定されている大略方形の収容部と比較して、空間１５０が削減されるように傾斜している（図３および図４参照）。このため、収容部５１を省スペース化することができ、その結果、ハウジング５０のサイズを小さくして、端子接続機構３０の小型化を図ることができる。
【００４１】
本実施形態のスイッチ１では、図３に示すように、大略方形の収容部を有する端子接続機構と比較して削減された空間１５０に、通路部１６を配置している。これにより、大略方形の収容部を有する端子接続機構を備えたスイッチと比較して、全体としてスイッチ１を小型化できる。
【００４２】
また、第２開口５５から収容部５１内の治具挿入領域１１０に治具９０を挿入するとき、板ばね４０の固定部４１の先端４１１と板ばね４０の弾性部４２の先端４２１とが接触する。これにより、弾性部４２の弾性変形が規制され、弾性部４２が塑性変形するのを防止できるので、弾性部４２の弾性変形を規制する規制部を別途設ける必要がなく、収容部５１の省スペース化を図れる。さらに、板ばね４０の固定部４１の先端４１１により弾性部４２の弾性変形が規制されるので、規制部を樹脂等で形成した場合と比べて、耐摩耗性が高くなる。
【００４３】
また、ハウジング５０が、第１開口５２と第２開口５５との間で、かつ、第２開口５５と板ばね４０の固定部４１の先端４１１との間の第２開口５５に近い側に配置された治具支持部７０を有している。これにより、電線８０の導体部８１の挿入方向Ａ沿いかつ第１開口５２および第２開口５５を横切る方向沿いの断面視において、第２開口５５の傾斜壁部５４側の縁部５５１と板ばね４０の弾性部４２の先端４２１を介して接触する弾性部４２の先端４２１との２点と、治具支持部７０との間で、治具９０が挟持される。その結果、治具９０を手などで支持することなくハンズフリーの状態で保持できる。
【００４４】
なお、治具９０を第２開口５５に挿入すると、治具支持部７０が撓むようになっている。これにより、治具９０の保持力を高めている。
【００４５】
端子接続機構３０は、前記スイッチ１に限らず、例えば、図９および図１０に示すスイッチ１０１、あるいは、図１１および１２に示すＬＥＤランプ点灯ユニット２０１に適用することができる。
【００４６】
図９および図１０に示すスイッチ１０１では、２個の端子接続機構３０が通路部１６に対して対称に配置されている。そして、大略方形の収容部と比較して削減された空間１５０には、固定接点部１７および可動接点部２２が配置されている。これにより、大略方形の収容部を有する端子接続機構を備えたスイッチと比較して、全体としてスイッチ１０１を小型化できる。
【００４７】
図１１および図１２に示すＬＥＤランプ点灯ユニット２０１では、プランジャ２０および通路部１６に代えて、Ｚ方向の上面の略中央にＬＥＤが取り付けられるソケット１３０が設けられ、このソケット１３０に対して、２個の端子接続機構３０が対称に配置されている。そして、大略方形の収容部と比較して削減された空間１５０には、各端子接続機構３０と、ソケット１３０に設けられかつＬＥＤと接触する固定接点部（図示せず）とを電気的に接続するための導通径路部６３が配置されている。これにより、大略方形の収容部を有する端子接続機構を備えたＬＥＤランプ点灯ユニットと比較して、全体としてＬＥＤランプ点灯ユニット２０１を小型化できる。
【００４８】
なお、スイッチに設ける端子接続機構３０の数は、偶数個に限らず、奇数個であってもよい。また、端子接続機構３０と電気的に接続される固定接点部または可動接点部の数は、スイッチの設計等に応じて、任意に変更することができる。
【００４９】
板ばね４０は、治具９０を第２開口５５から収容部５１内の治具挿入領域１１０に挿入したときに、治具９０の先端が、弾性部４２の先端４２１を介することなく、固定部４１の先端４１１と直接接触するように構成されていてもよい。
【００５０】
板ばね４０は、固定部４１、弾性部４２、および、湾曲部４３の全てが収容部５１内に収容されている場合に限らず、少なくとも固定部４１および弾性部４２が収容部５１内に収容されていればよい。
【００５１】
可能であれば、板ばね４０に代えて、絶縁性の材料で形成された弾性部材を用いてもよい。
【００５２】
治具支持部７０は、治具９０を第２開口５５に挿入したときに撓むように構成されている場合に限らず、撓まないように剛性を持たせてもよい。
【００５３】
前記実施形態で述べた構成要素は、適宜、組み合わせてもよく、また、適宜、選択、置換、あるいは、削除してもよいことは、勿論である。
【００５４】
本発明の端子接続機構は、
一端の固定部と、前記固定部に対して弾性変形可能な他端の弾性部と、前記固定部と前記弾性部とを連結する湾曲部とを有する板ばねと、
治具が挿入可能な治具挿入領域と、電線の導体部が挿入可能な電線挿入領域とを有するとともに、前記板ばねの前記固定部と前記弾性部とを収容し、かつ、前記弾性部が、前記固定部に向かって、前記電線挿入領域を通過して前記治具挿入領域まで弾性変形可能な弾性変形領域を有する収容部を有する絶縁性のハウジングと、
前記収容部内に配置されかつ前記電線挿入領域に挿入された前記電線の前記導体部が接触可能な端子電極部とを備え、
前記収容部は、
前記収容部の前記電線が挿入される側に配置されて前記電線の前記導体部を前記収容部内の前記電線挿入領域に挿入可能な第１開口と、
前記第１開口から前記電線の挿入方向に沿って前記端子電極部を支持するように配置され前記第１開口から挿入された前記電線の前記導体部を案内して、前記板ばねの前記弾性部と前記端子電極部との間で前記導体部を挟持可能な電線挿入ガイド壁部と、
前記電線挿入ガイド壁部に対向しかつ前記電線挿入ガイド壁部に対して前記電線の挿入方向に向かうに従い接近するように傾斜して配置され、かつ、前記板ばねの前記固定部が固定される傾斜壁部と、
前記収容部の前記電線が挿入される側に前記第１開口に隣接して配置され、かつ、前記治具を前記収容部内に挿入して前記板ばねの前記弾性部に接触して前記弾性部と前記電線の前記導体部との接触を解除可能な第２開口とを有する。
【００５５】
本発明の端子接続機構によれば、収容部が、電線の挿入方向に沿って配置され電線の導体部を案内する電線挿入ガイド壁部と、電線挿入ガイド壁部に対向し、かつ、電線挿入ガイド壁部と平行ではなく、収容部の空間が削減されるように傾斜されかつ板ばねの固定部が固定される傾斜壁部とを有している。このため、ハウジングのサイズを小さくすることができ、小型化を図ることができる。
【００５６】
一実施形態の端子接続機構では、
前記第２開口から前記治具挿入領域に前記治具を挿入するときに、前記板ばねの前記固定部の先端と前記板ばねの前記弾性部の先端とが接触して、前記弾性部の弾性変形を規制可能とする。
【００５７】
前記実施形態の端子接続機構によれば、板ばねの固定部の先端と弾性部の先端とが接触することにより、弾性部の弾性変形が規制され、弾性部４２が塑性変形するのを防止できるので、弾性部４２の弾性変形を規制する規制部を別途設ける必要がなく、収容部５１の省スペース化を図れる。さらに、板ばね４０の固定部４１の先端４１１により弾性部４２の弾性変形が規制されるので、規制部を樹脂等で形成した場合と比べて、耐摩耗性が高くなる。
【００５８】
一実施形態の端子接続機構では、
前記ハウジングが、前記第１開口と前記第２開口との間で、かつ、前記第２開口と前記固定部の先端との間の前記第２開口に近い側に配置された治具支持部を有し、
前記第２開口から前記治具挿入領域に前記治具を挿入するとき、前記第２開口の傾斜壁部側の縁部と前記固定部の前記先端との２点と、前記治具支持部との間で前記治具を挟持可能とする。
【００５９】
前記実施形態の端子接続機構によれば、電線の導体部の挿入方向沿いかつ第１開口および第２開口を横切る方向沿いの断面視において、第２開口の傾斜壁部側の縁部と板ばねの弾性部の先端を介して接触する弾性部の先端との２点と、治具支持部との間で、治具が挟持される。これにより、治具を手などで支持することなくハンズフリーの状態で保持できる。
【００６０】
本発明のスイッチは、
固定接点部と、
前記端子電極部が前記固定接点部に電気的に接続されている前記端子接続機構とを備える。
【００６１】
本発明のスイッチによれば、前記端子接続機構により、小型化を図ることができる。
【００６２】
一実施形態のスイッチでは、
前記固定接点部に接触可能かつ開離可能な可動接点部と、
前記固定接点部から前記可動接点部が離れた復帰位置と、前記固定接点部と前記可動接点部とが接触した動作位置との間を往復移動可能なプランジャとをさらに備える。
【００６３】
前記実施形態のスイッチによれば、前記端子接続機構により、小型化を図ることができる。
【産業上の利用可能性】
【００６４】
本発明の端子接続機構は、例えば、緊急停止用押しボタンスイッチに適用できる。
【符号の説明】
【００６５】
１，１０１，２０１  スイッチ
１０  本体部
１１  筺体
１２  蓋体
１４  突起部
１５  溝部
１６  通路部
１７  固定接点部
１８  トーションばね
１８１  コイル部
１８２  アーム部
２０  プランジャ
２１  接点用腕部
２２  可動接点部
２３  弾性受部
２４  端面
３０  端子接続機構
４０  板ばね
４１  固定部
４１１  先端
４２  弾性部
４２１  先端
４３  湾曲部
５０  ハウジング
５１  収容部
５２  第１開口
５３  電線挿入ガイド壁部
５４  傾斜壁部
５５  第２開口
５７  底壁部
５８  電線挿入側の壁部
６０  端子電極部
６１  電線接触部
６２  板ばね固定部
６３  導通径路部
７０  治具支持部
８０  電線
８１  導体部
８２  絶縁カラー
９０  治具
１００  電線挿入領域
１１０  治具挿入領域
１２０  弾性変形領域
１３０  ソケット
１５０  空間
Ａ  電線挿入方向
Ｂ  治具挿入方向
【図１】
2018006090.tif 000003
【図２】
2018006090.tif 000004
【図３】
2018006090.tif 000005
【図４】
2018006090.tif 000006
【図５】
2018006090.tif 000007
【図６】
2018006090.tif 000008
【図７】
2018006090.tif 000009
【図８】
2018006090.tif 000010
【図９】
2018006090.tif 000011
【図１０】
2018006090.tif 000012
【図１１】
2018006090.tif 000013
【図１２】
2018006090.tif 000014
【図１３】
2018006090.tif 000015